(57)【要約】【課題】充電中の携帯電話機の盗難防止対策を簡易に実現可能な携帯電話機用充電機の収容袋を提供することができる。【解決手段】携帯機器用充電器１０の本体１０Ａを収容可能な収容袋本体２０と、携帯機器１２を収容可能な少なくとも１以上の携帯機器収容部２２と、を備えた携帯機器用充電器の収容袋であって、携帯機器収容部２２は、携帯機器１２が挿入可能な開口部が形成されるとともに、収容袋本体２０の外側に設けられ、収容袋本体２０は、取手２０Ａ、２０Ｂを有するとともに、充電器本体１０の充電用コード１０Ｂを収容袋本体２０の外に誘導可能な導出口２０Ｃを有することを特徴とする。【選択図】図３
2008131705.tif 000002
【特許請求の範囲】
【請求項１】
携帯機器用充電器の本体を収容可能な収容袋本体と、
前記携帯機器を収容可能な少なくとも１以上の携帯機器収容部と、を備えた携帯機器用充電器の収容袋であって、
前記携帯機器収容部は、前記携帯機器が挿入可能な開口部が形成されるとともに、前記収容袋本体の外側に設けられ、
前記収容袋本体は、取手を有するとともに、前記充電器本体の充電用コードを収容袋本体の外に誘導可能な導出口を有することを特徴とする携帯機器用充電器の収容袋。
【請求項２】
前記導出口は、前記携帯機器収容部の開口部近傍に形成されていることを特徴とする請求項１記載の携帯機器用充電器の収容袋。
【請求項３】
前記携帯機器収容部は、前記収容袋本体に対して着脱可能に構成されていることを特徴とする請求項１又は２記載の携帯機器用充電器の収容袋。
【発明の詳細な説明】
【技術分野】
【０００１】
本発明は、携帯電話機やＰＤＡなど携帯機器に用いられる充電器を収容する携帯機器用充電器の収容袋に関する。
【背景技術】
【０００２】
近年、携帯電話機の普及に伴い、駅やショッピングセンターなど人が多く集まる場所に、携帯電話機のバッテリーを充電可能な充電器が設置されている。このような充電器は、携帯電話機の充電に長時間要するため、充電中の携帯電話機の盗難防止のための機能を備えている。例えば、特許文献１に記載された充電器は、充電中の携帯電話機を収容するスライドボックスを備え、このスライドボックスの開閉を暗証番号によってロックする機構を備えている。
【０００３】
【特許文献１】特開２００３−２３０２２９号公報
【発明の開示】
【発明が解決しようとする課題】
【０００４】
しかしながら、従来の携帯電話機用充電器は、このように充電中の携帯電話機の盗難防止用の機能を備えているため、装置が複雑になり、大型化するとともに、高額であるという問題がある。一方、複数の携帯電話機を同時に充電可能な小型の携帯電話機用充電器は、存在するが、充電中の携帯電話機の盗難を防止するための機構を備えていないという問題がある。
【０００５】
そこで、本発明は、充電中の携帯電話機の盗難防止対策を簡易に実現可能な携帯電話機用充電機の収容袋を提供することを目的とする。  
【課題を解決するための手段】
【０００６】
以上の目的を達成するため、本発明は、携帯機器用充電器の本体を収容可能な収容袋本体と、前記携帯機器を収容可能な少なくとも１以上の携帯機器収容部と、を備えた携帯機器用充電器の収容袋であって、前記携帯機器収容部は、前記携帯機器が挿入可能な開口部が形成されるとともに、前記収容袋本体の外側に設けられ、前記収容袋本体は、取手を有するとともに、前記充電器本体の充電用コードを収容袋本体の外に誘導可能な導出口を有することを特徴とする。
【０００７】
本発明に係る収容袋は、コンビニエンスストアなどで利用することができ、その場合、先ず、収容袋を充電器が収容された状態で、顧客からは手の届かないカウンター内に吊るしておき、利用者がその充電器を利用したい場合、コンビニエンスストアの店員は、収容袋を充電器が収容された状態のまま、カウンターに移動させ、利用者の携帯機器を携帯機器収容部に収容させ、次いで、収容袋をその状態で顧客からは手の届かないカウンター内に戻すことにより、利用される。このように本願発明に係る収容袋本体を用いれば、利用者の手の届かないところに収容袋を吊るし、容易に利用者の手の届くところに移動させることができるので、複雑な盗難防止の対策を施す必要がなく、充電器の構造を簡易にすることができる。
【０００８】
本発明に係る収容袋において、前記導出口は、前記携帯機器収容部の開口部近傍に形成されていることが好ましく、前記携帯機器収容部は、前記収容袋本体に対して着脱可能に構成されていることが好ましい。
【発明の効果】
【０００９】
以上のように、本発明によれば、充電中の携帯電話機の盗難防止対策を簡易に実現可能な携帯電話機用充電機の収容袋を提供することができる。
【発明を実施するための最良の形態】
【００１０】
次に、本発明に係る携帯機器用充電器の収容袋の実施例について図面に基づいて説明する。図１は、本実施例に係る収容袋の正面斜視図であり、図２は、その背面斜視図であり、図３は、その使用状態を示す正面斜視図である。本実施例に係る収容袋は、携帯機器用充電器１０の本体１０Aを収容可能な収容袋本体２０と、携帯電話機１２を収容可能な携帯電話機器収容部材２２と、を備えている。
【００１１】
本実施例に係る収容袋に収容される充電器１０は、図３に示すように本体１０Ａの前面下端に４本の携帯電話機１２の充電用コード１０Ｂを設けており、また背面下端に充電器１０の電源用コード（図示省略）を設けている。
【００１２】
収容袋本体２０は、上面が開口された有底角柱状に形成されており、その両側面には、取手２０Ａ、２０Ｂが設けられている。また、収容袋本体２０の前面の下端近傍には、収容される充電器１０の４本の充電用コード１０Ｂが導出可能な第１導出口２０Ｃが形成されており、また、その背面の下端には、収容される充電器１０の電源用コードが導出可能な第２導出口２０Ｄが形成されている。さらに、収容袋本体２０の前面２０Ｅは、透明の合成樹脂で構成されており、これにより収容された充電器本体１０Ａの作動状態を外部から確認することができる。
【００１３】
携帯電話機器収容部２２は、４つの筒状の収容部２４が並列されて設けられており、収容部２４内それぞれに携帯電話機１２が挿入できるように開口２４Ａが形成されている。また、その開口２４Ａそれぞれには、帯状の蓋部２４Ｂが設けられており、底面側には、収容された携帯電話機１２が脱落するのを防止するため、背面から前面に亘って帯状部２４Ｃが設けられている。蓋部２４Ｂは、基端側が開口２４Ａの背面側に設けられ、その先端には、蓋側開口２６Ａが設けられている。また、収容部２４の前面上端近傍には、収容部側開口２６Ｂが形成されている。そして、蓋部２４Ｂの背面側から前方に亘って橋架けし、これら蓋側開口２６Ａと収容部側開口２６Ｂを整合させて、それらに南京錠などを通すことによって、蓋部２４Ｂを施錠できるように構成されている。
【００１４】
携帯電話機用収容部２２の背面上端には、面ファスナー（図示省略）が設けられており、収容袋本体２０の前面の第１導出口２０Ｃと下端の間には、その面ファスナーに着脱可能な面ファスナー（図示省略）が設けられており、これら面ファスナーによって、携帯電話機収容部２２を収容袋本体２０に装着できるように構成されている。
【００１５】
本発明に係る収容袋において、収容袋本体２０や携帯電話機収容部２２は、例えば布、合成樹脂又は皮などで構成されている。
【００１６】
次に、本実施例に係る収容袋の利用方法について説明する。先ず、図３に示すように、充電器本体１０Ａを収容袋本体２０内に収容し、第１導出口２０から充電用コード１０Ｂを導出するとともに、第２導出口２０Ｃから電源用コードを導出する。携帯電話機１２を充電する際には、携帯電話機１２に充電用コード１０Ｂを接続し、その状態で収容部２４に収容する。そして、必要に応じて南京錠などを用いて蓋部２４Ｂを施錠する。
【００１７】
本実施例に係る収容袋は、例えば、コンビニエンスストアや高速道路を走行するバスなどで利用することができる。コンビニエンスストアで利用する場合、先ず、収容袋を充電器が収容された状態で、顧客からは手の届かないカウンター内に吊るしておく。利用者がその充電器を利用したい場合、コンビニエンスストアの店員は、取手２０Ａ、２０Ｂを把持して、収容袋を充電器が収容された状態のまま、カウンターに移動させ、利用者の携帯電話機１２を上述の充電可能な状態で収容させる。次いで、収容袋をその状態で顧客からは手の届かないカウンター内に戻す。このように本実施例に係る収容袋を用いることにより、利用者の手の届かないところに、収容袋を吊るし、容易に利用者の手の届くところに移動させることができるので、複雑な盗難防止の対策を施す必要がなく、充電器の構造を簡易にすることができる。
【００１８】
また、このようなビジネスモデルは、携帯電話機を預ける際と受け取る際にコンビニエンスストアを訪ねることになるので、それに起因してそのコンビニエンスストアの売り上げが向上させる可能性がある。また、収容袋に広告を付けることによって、広告媒体として利用することができる。
【図面の簡単な説明】
【００１９】
【図１】本発明に携帯機器用充電器の収容袋の実施例の正面斜視図である。
【図２】本実施例に係る収容袋の背面斜視図である。
【図３】本実施例に係る収容袋の使用状態を示す正面斜視図である。
【符号の説明】
【００２０】
１０   携帯電話機用充電器
１０Ｂ 充電用コード
１２   携帯電話機
２０   収容袋本体
２０Ａ、２０Ｂ       取手
２２   携帯電話機収容部
【図１】
2008131705.tif 000003
【図２】
2008131705.tif 000004
【図３】
2008131705.tif 000005